(57)【要約】【課題】  紛失等した携帯電話機の内部情報を容易に回収でき、新しい携帯電話機でそれまでの使用勝手を再現できると共に、紛失等した携帯電話機を使用不可能な状態にする。【解決手段】  紛失等に係るコマンド等をメール等で紛失等した携帯電話機に送信する。携帯電話機はコマンドに従い、内部情報をコマンドの送信元等に送信する。またその処理の後に、携帯電話機のメモリを消去する等の処理を行う。【選択図】    図４
2006019873.tif 000002
【特許請求の範囲】
【請求項１】
受信したコマンドから携帯電話機の紛失に係るコマンドを検出するためのコマンド識別手段を設け、
該コマンド識別手段で紛失に係るコマンドを検出すると、携帯電話機に登録された内部情報を、所定の宛先に送信するための内部情報送信手段によって該内部情報を送信すると共に、
状態設定手段を設け、携帯電話機を動作禁止状態にするようにした、携帯電話機。
【請求項２】
前記登録された内部情報を、少なくとも電話帳情報とすることを特徴とする、請求項１の携帯電話機。
【請求項３】
前記登録された内部情報を、少なくとも通信記録情報とすることを特徴とする、請求項１の携帯電話機。
【請求項４】
前記登録された内部情報を、少なくとも記憶された画像情報とすることを特徴とする、請求項１の携帯電話機。
【請求項５】
前記登録された内部情報を、少なくとも携帯電話機の各種機能の設定情報とすることを特徴とする、請求項１の携帯電話機。
【発明の詳細な説明】
【技術分野】
【０００１】
この発明は、携帯電話機の紛失、盗難時等の扱いに関する。
【背景技術】
【０００２】
携帯電話機の紛失、盗難等が生じた場合、不正に使用されることを防止するため、暗証番号やコマンド等をその携帯電話機に送信し、発信機能や表示機能を停止状態にすることは知られている（特許文献１）。
しかしながら携帯電話機は小型、軽量であるが故に、紛失や盗難等が生じやすいにもかかわらず、ユーザのそれまでの使い勝手を簡単な方法で再現することについては検討されていない。また紛失等した携帯電話機を動作不能状態にする前に、特定の内部情報を外部に送信させて取り出すことについても検討されていない。
【特許文献１】特開２００１−２３０８５８
【発明の開示】
【発明が解決しようとする課題】
【０００３】
この発明の課題は、携帯電話機の紛失や盗難時等に、ユーザは新しい携帯電話機で、それまでと同じ使い勝手を容易に得ることができるようにすることにある。（請求項１〜５）。
さらにこの発明の課題は、紛失等した携帯電話機に対して、不正使用防止のために特定の内部情報を他人が得ることを禁止することにある（請求項１〜５）。
【課題を解決するための手段】
【０００４】
この発明では、携帯電話機に、受信したコマンドから携帯電話機の紛失に係るコマンドを検出するコマンド識別手段を設け、該コマンド識別手段で紛失に係るコマンドを検出すると、登録された内部情報を所定の宛先に送信するための内部情報送信手段によって該内部情報を送信すると共に、状態設定手段を設け、携帯電話機を動作禁止状態にする（請求項１）。
携帯電話機には、ＰＨＳ等やいわゆる携帯電話機のほかに、携帯通信端末等を含む。そして紛失時等にこの携帯電話機に送信するコマンドは、好ましくは電子メール等を用い送信する。コマンドを受信した携帯電話機は、所定の内部情報を所定の宛先に送信すると共に、この携帯電話機に対しては、所定の動作を禁止するための状態設定を行う。
【０００５】
好ましくは、前記登録された内部情報を、少なくとも電話帳情報とすることを特徴とする（請求項２）。ここで電話帳情報には、その携帯電話機の過去の送受信の対象者のメールアドレス帳情報等を含むことが好ましい。
【０００６】
さらに好ましくは、前記登録された内部情報を、少なくとも通信記録情報とすることを特徴とする（請求項３）。この通信記録情報には、メールボックスに記憶されたメールの内容や通信履歴、通信日時等を含むことが好ましい。
【０００７】
また好ましくは、前記登録された内部情報を、少なくとも記憶された画像情報とすることを特徴とする（請求項４）。カメラ付き携帯電話機には画像情報が記憶されているので、これを内部情報として送信することが好ましい。
【０００８】
またさらに好ましくは、前記登録された内部情報を、少なくとも携帯電話機の各種機能の設定情報とすることを特徴とする（請求項５）。携帯電話機には、使い勝手やユーザの好みを反映させた各種設定がされている。例えば、着信メロディーや非通知拒否、目覚まし設定等、様々な設定情報がある。これらの情報を前記内部情報として送信することが好ましい。      
【発明の効果】
【０００９】
この発明の携帯電話機では、
１．紛失や盗難等に対して、ユーザは簡単な操作で、その携帯電話機に記憶された情報を回収することができる。
２．紛失等した携帯電話機の内部情報を、新しい携帯電話機に送信したり、サポートセンターやパーソナルコンピュータ等に送信した後に新しい携帯電話機にダウンロード等することにより、それまでの使い勝手を容易に再現することができる。
３．ユーザが必要な情報を得た後は、紛失等した携帯電話機に対し、特定の情報を消去したり、所定の動作を禁止することができる（請求項１〜５）、
等の効果を有する。
【発明を実施するための最良の形態】
【００１０】
以下に本発明を実施するための最適実施例を示す。
【実施例】
【００１１】
図１〜図６を用い、実施例の携帯電話機２について説明する。図１において、携帯電話機２は、アンテナ４を介し基地局との間で通話やメール等に関する情報を送受信する送受信部６と、スピーカ８やマイク１０への送受話音声信号を処理する音声制御部１２と、ＬＣＤ１４と、これへの信号を制御する表示制御部１６と、入力装置であるテンキー１８と、これを制御する入力制御部２０とを備えている。
【００１２】
２２はＣＰＵで、各種プログラム等を格納したＲＯＭ２４、ＣＰＵ２２により各種のプログラムの実行時に使用するワーク領域を提供等するＲＡＭ２６とを備える。そしてユーザのパスワードや動作禁止の状態を示す動作禁止状態情報や、その他携帯電話機に必要な情報等を格納するフラッシュＲＯＭ２８、カメラ機能から取り込んだ画像情報を格納するＶＲＡＭ３０等をメモリとして使用している。なお３２は実施例の動作を実現するための、該携帯電話機２の紛失時のデータ処理部である。
【００１３】
図２に、紛失時のデータ処理部３２の構成を示す。実施例では携帯電話機２の紛失時等に、新しい携帯電話機やサポートセンターやパーソナルコンピュータ等から、紛失した携帯電話機２に電子メール等を用い、所定のコマンドとパスワードとを送信する。データ処理部３２には、受信したメールのヘッダ等からコマンドを検索するためのコマンド検索部４０と、コマンドリスト４４等を参照し、携帯電話機の紛失時に送信される所定のコマンドを検出するためのコマンド解析部４２とを設ける。実施例では紛失時のコマンドを後述するように複数設け、コマンド毎に異なる動作禁止処理を行う。
【００１４】
またデータ処理部３２には、パスワード記憶バッファ４８を用い、受信したパスワードが正しいかを照合するためのパスワード照合部４６と、パスワードが一致すれば携帯電話機２の内部情報を送信するための内部情報送信部５０と、受信したコマンドに応じた動作禁止状態にするための処理を行う動作禁止処理部５２とを設ける。ここで内部情報の送信先は、受信メールの発信元や、サポートセンタ−、あるいはコマンドで指定された所定の送信先のメールアドレス等である。また送信する内部情報を記憶する送信情報テーブル６０を図３に示すが、ぞの一部にロック情報として漏洩禁止の情報（領域Ａ）を含む。送信情報の送信後に、動作禁止処理部５２でコマンドに応じ、電源のＯＮを禁止したり、該ロック情報を表示しない等の処理を行う。なおコマンドリスト４４，パスワード記憶バッファ４８や送信情報テーブル６０はフラッシュＲＯＭ等に格納してある。
【００１５】
図３に、送信情報テーブル６０を示す。テーブル６０に領域Ａと領域Ｂとを設け、領域Ａには漏洩を禁止するロック情報を、領域Ｂにはユーザの使い勝手のための設定情報を格納する。送信情報としてテーブル６０に含める情報は、任意に定めることができる。実施例ではテーブル６０の情報をすべて所定の宛先に送信するが、動作禁止処理で例えば領域Ａの情報は表示不可能とし、領域Ｂの情報は表示可能とする等の処理を行う。すなわち送信情報テーブル６０にはユーザにとって便利な情報を含むが、他人に漏れてはいけない情報（領域Ａ）と、使い勝手のための情報で他人に見られてもかまわない情報（領域Ｂ）とをそれぞれ別に設け、異なる処理を行う。また例えば領域Ａの情報は送信情報とせずに消去し、ユーザの使い勝手のための情報である領域Ｂの情報のみを送信することとしてもよい。なお送信情報や消去する情報は、コマンドによって指定できることとしてもよい。
【００１６】
図４〜６を用い、実施例の動作を説明する。図４において、携帯電話機の紛失、盗難等が生じると、新しい携帯電話機やサポートセンター、パーソナルコンピュータ等から紛失した携帯電話機に、その携帯電話機等のメールアドレスやコマンド、パスワードをヘッダや本文に記載してメール送信する（ステップＳ１〜Ｓ４）。メール送信は接続が成功するまで所定時間毎に繰り返して行うこととする。携帯電話機は、電源がＯＮ状態になれば、上記メールを自動的に受信する。これは携帯電話機の標準機能として設けても良く、あるいはユーザが自分で設定できるようにしてもよい。
【００１７】
接続に成功すると、コマンドやパスワード等を送信し（ステップＳ３，Ｓ４）、紛失等側の携帯電話機がこれらを受信する（ステップＳ５）。そして受信メールに紛失に係るコマンドが含まれており（ステップＳ６）、パスワードが一致すれば（ステップＳ７）、図３で示す内部情報をメールの送信元等に送信する（ステップＳ８，Ｓ９）。次に状態設定コマンドに従い、紛失した携帯電話機の動作を禁止するための処理や内部情報の消去等を行い、動作禁止状態にする（ステップＳ１０，Ｓ１１）。なお内部情報をサポートセンターやパーソナルコンピュータ等に送信した場合、これらから新しい携帯電話機に内部情報をダウンロードすることにより、ユーザは再設定等の操作を行うことなく同一の使い勝手を得ることができる。
【００１８】
次に図５で内部情報の送信処理（図４のステップＳ８）を、図６で動作禁止処理を示す。図５において、紛失側の携帯電話機は、受信した電子メール等から情報の送信先のメールアドレス等を得て（ステップＳ２０）、図３の送信情報テーブルに記憶された送信情報を、この送信先に送信する（ステップＳ２１、Ｓ２２）。このとき個々の送信情報のアドレスを記憶した送信情報アドレステーブル（図示しない）をもたせてこれを参照するようにし、該記憶されたアドレスから送信情報を得て、上記送信先のメールアドレス等へ送信することとしてもよい。
【００１９】
図６に、状態設定コマンド毎に定めた動作禁止状態にするための処理を示す。この処理では、内部情報送信後のメモリの管理と携帯電話機の状態とを設定する。図において、例えば盗難などで紛失し、携帯電話機が見つかる可能性がない場合には、コマンド：ＸＸＸＸを送信することにより、メモリをすべて消去し、電源ＯＮを不可能な状態に設定する。コマンド：ＡＡＡＡでは、電源のＯＮは可能であるが、第三者による不正使用を防止するため、ロック情報（図２の領域Ａの情報）を消去等して、入力されたパスワードが一致してもロック情報の表示や通信機能の使用はできないこととする。しかし使い勝手に関する設定の情報（図３の領域Ｂの情報）は、表示されても特に問題はない。
コマンド：ＢＢＢＢでは、電源をＯＮし、入力したパスワードが一致すれば、再度使用可能な状態になるようにする。携帯電話機が一時的に見つからないが、出てくる可能性が高い場合に、このコマンドで一時的に使用禁止にしておくことにより、一応の安心を得ることができる。そして携帯電話機が見つかれば、パスワードを入力することにより動作禁止状態を解除でき、再度使用することができるようになる。
【００２０】
これらコマンドは、携帯電話機を紛失した状態に応じ選択することができる。例えば今は見つからないが、家のどこかに置き忘れた可能性が高い時にはコマンド：ＢＢＢＢを送信し、盗難の場合はコマンド：ＸＸＸＸを送信するなど、使い分けをすることができる。
【００２１】
このように実施例によれば、紛失や盗難等に、ユーザは必要な情報をメールの送受信で回収することができ、新しい携帯電話機で再設定の必要なくそれまでの使い勝手を維持することができる。そしてユーザが必要な情報を得た後は、携帯電話機の使用を禁止したり、内部情報を消去した状態にすることにより、不正に使用されることを防止できる。また動作禁止の状態として複数の設定を可能にし、見つかる可能性がない場合や、いずれ見つかるであろうが心配な場合等のそれぞれに対応することができる。
【図面の簡単な説明】
【００２２】
【図１】実施例の携帯電話機の構成を示す図
【図２】実施例の紛失時のデータ処理部の構成を示す図
【図３】実施例での、送信する内部情報を示す図
【図４】実施例での処理の流れを示すフローチャート
【図５】実施例での内部情報の送信処理を示すフローチャート
【図６】実施例での動作禁止処理を示すフローチャート
【符号の説明】
【００２３】
２            携帯電話機
４            アンテナ
６            送受信部
８            スピーカ
１０          マイク
１２          音声制御部
１４          ＬＣＤ
１６          表示制御部
１８          テンキー
２０          入力制御部
２２          ＣＰＵ
２４          ＲＯＭ
２６          ＲＡＭ
２８          フラッシュＲＯＭ
３０          ＶＲＡＭ
３２          紛失時のデータ処理部
４０          コマンド検索部
４２          コマンド解析部
４４          コマンドリスト
４６          パスワード照合部
４８          パスワード記憶バッファ
５０          内部情報送信部
５２          動作禁止処理部
６０          送信情報テーブル
【図１】
2006019873.tif 000003
【図２】
2006019873.tif 000004
【図３】
2006019873.tif 000005
【図４】
2006019873.tif 000006
【図５】
2006019873.tif 000007
【図６】
2006019873.tif 000008